(57)【要約】【課題】光源寿命が映像表示装置の寿命よりも短いために光源の交換が必ず必要となり、光源の交換作業及び調整作業に多大なメンテナンスコストを要する。【解決手段】第１光源１２０のＲ光源、Ｇ光源及びＢ光源が時分割駆動されて発光している場合に、寿命検出回路１１が、光源１２０の各色光源の内で寿命に達している光源があると判断した際には、当該光源をＯＦＦ状態に設定し且つ第２光源１３０の内で当該寿命に達している光源と同色の光を発光する光源をＯＮ状態に設定し、モータ１３，１７，１６の内で当該寿命に達している光源に対応するダイクロイックミラーを回転駆動するモータに回転指令を発す。回転指令を受けたモータは、ダイクロイックミラー２〜４の内で当該寿命に達している光源に対応するダイクロイックミラーを、当該ダイクロイックミラーで反射された光線束の光軸が集光レンズ５の光軸と再び合わさる様に回転させる。【選択図】図２
2010145584.tif 000002
【特許請求の範囲】
【請求項１】
赤色の光を発光するＲ光源と、緑色の光を発光するＧ光源と、青色の光を発光するＢ光源とから成る第１光源と、
前記第１光源の前記Ｒ光源、前記Ｇ光源及び前記Ｂ光源の各々の出力側にそれぞれ配設される第１乃至第３のコリメータレンズより成る第１レンズ群と、
前記第１光源の前記Ｒ光源、前記Ｇ光源及び前記Ｂ光源とそれぞれ同様の光学特性を有するＲ光源、Ｇ光源及びＢ光源から成る第２光源と、
前記第２光源の前記Ｒ光源、前記Ｇ光源及び前記Ｂ光源の各々の出力側にそれぞれ配設される第４乃至第６のコリメータレンズより成る第２レンズ群と、
互いに対向する前記第１コリメータレンズと前記第４コリメータレンズとの間に配設されており、赤色の光を反射する一方、その他の色の光を透過する光学特性を有する第１ダイクロイックミラーと、
前記第１ダイクロイックミラーを回転さえ得る第１モータと、
互いに対向する前記第２コリメータレンズと前記第５コリメータレンズとの間に配設されており、緑色の光を反射する一方、その他の色の光を透過する光学特性を有する第２ダイクロイックミラーと、
前記第２ダイクロイックミラーを回転さえ得る第２モータと、
互いに対向する前記第３コリメータレンズと前記第６コリメータレンズとの間に配設されており、青色の光を反射する一方、その他の色の光を透過する光学特性を有する第３ダイクロイックミラーと、
前記第３ダイクロイックミラーを回転さえ得る第３モータと、
前記第１ダイクロイックミラーで反射された赤色の第１光線束と、前記第２ダイクロイックミラーで反射された緑色の第２光線束と、前記第３ダイクロイックミラーで反射された青色の第３光線束とが合成されて成る白色光線束を集光すると共に、前記第１光線束の光軸、前記第２光線束の光軸及び前記第３光線束の光軸の何れとも合わさった光軸を有する集光レンズと、
前記集光レンズより出力される前記白色光線束より、前記第１光線束の輝度、前記第２光線束の輝度及び前記第３光線束の輝度を、それぞれ電流値として検出する光センサーと、
前記光センサーの各光線束に関する出力値と閾値とを順次に比較して、前記光センサーの出力値が前記閾値の所定率以下となる場合には当該出力値に対応する光線束を発光する光源がその寿命に達していると判断して、寿命に達していると判断された光源をＯＦＦ状態に設定すると共に、寿命に達していると判断された光源に対応するダイクロイックミラーを回転駆動するモータに、該当するダイクロイックミラーの回転を指令する寿命検出部とを備えており、
前記第１光源の前記Ｒ光源、前記Ｇ光源及び前記Ｂ光源が時分割で駆動されて発光している場合に、前記寿命検出部が、前記第１光源の前記Ｒ光源、前記Ｇ光源及び前記Ｂ光源の内で寿命に達している光源があると判断した際には、寿命に達していると判断された光源をＯＦＦ状態に設定し且つ前記第２光源の前記Ｒ光源、前記Ｇ光源及び前記Ｂ光源の内で当該寿命に達していると判断された光源が発光する光と同色の光を発光する光源をＯＮ状態に設定すると共に、前記第１乃至第３モータの内で当該寿命に達していると判断された光源に対応するダイクロイックミラーを回転駆動するモータに回転指令を発し、
前記回転指令を受けたモータは、前記第１乃至第３ダイクロイックミラーの内で当該寿命に達していると判断された光源に対応するダイクロイックミラーを、当該ダイクロイックミラーで反射された光線束の光軸が前記集光レンズの前記光軸と再び合わさる様に回転させることを特徴とする、
映像表示装置の光源切り替え装置。
【請求項２】
請求項１記載の映像表示装置の光源切り替え装置であって、
前記第１光源及び前記第２光源は、光源の冷却装置を共用することを特徴とする、
映像表示装置の光源切り替え装置。
【請求項３】
請求項１又は２に記載の映像表示装置の光源切り替え装置であって、
前記第１光源及び前記第２光源は、光源用電源を共用することを特徴とする、
映像表示装置の光源切り替え装置。
【発明の詳細な説明】
【技術分野】
【０００１】
本発明は、発光ダイオード（以下「ＬＥＤ」と言う。）又はレーザー等を使用した映像表示装置用光源の寿命時に於ける光源の切り替え技術に関する。
【背景技術】
【０００２】
従来の映像表示装置は、その光源として、高圧水銀ランプを使用しているが、高圧水銀ランプの寿命は約１万時間と短く、１年に１度は高圧水銀ランプの交換作業が必要であった。そのため、２４時間の連続運転を必要とし且つ１０年以上の稼働時間を必要とする監視分野に於いては、高圧水銀ランプの交換作業のために多くの労力と費用とを要していた。
【０００３】
この改善策として、高圧水銀ランプを用いた監視用映像表示装置に於いて、２つの高圧水銀ランプを差動していた一方の高圧水銀ランプの寿命時に交互に切り替えることで、全体的に高圧水銀ランプの寿命を延している（例えば、特許文献１参照。）。
【０００４】
或いは、高圧水銀ランプに代えて、ＬＥＤをその光源として使用している映像表示装置もある。（例えば、特許文献２参照。）。
【０００５】
【特許文献１】特開２００６−３９３２９号公報（図２）
【特許文献２】特開平１１−６５４７７号公報（図１）
【発明の開示】
【発明が解決しようとする課題】
【０００６】
しかしながら、２４時間の連続運転を必要とし且つ１０年以上の稼働時間を必要とする監視分野に於いては、先行技術によっても、依然として、人手による光源の交換作業は不可欠であり、そのため、当該交換作業により監視が一時的に中断してしまうと言う問題点は解決されるに至って否かった。
【０００７】
この発明が解決しようとする問題点は、映像表示装置用光源の寿命が短いために、光源の交換が必ず必要となり、人手による光源の交換作業及び調整作業に多大なメンテナンスコストが発生している点にある。
【０００８】
尚、一般的には、「光源の寿命」とは、当該光源より発する光の輝度が初期時の輝度の半分以下に達した時点を言うものと、定義される。勿論、場合に応じて、それよりも低い４０％程度を以って、「光源の寿命」と定義しても良い。
【０００９】
本発明は斯かる問題点の認識を踏まえて成されたものであり、その主目的は、映像表示装置用光源の寿命を映像表示装置ライフと同等時間にまで延ばすことが可能な映像表示装置の光源切り替え装置を提供することにある。
【課題を解決するための手段】
【００１０】
本発明の主題に係る映像表示装置の光源切り替え装置は、赤色の光を発光するＲ光源と、緑色の光を発光するＧ光源と、青色の光を発光するＢ光源とから成る第１光源と、前記第１光源の前記Ｒ光源、前記Ｇ光源及び前記Ｂ光源の各々の出力側にそれぞれ配設される第１乃至第３のコリメータレンズより成る第１レンズ群と、前記第１光源の前記Ｒ光源、前記Ｇ光源及び前記Ｂ光源とそれぞれ同様の光学特性を有するＲ光源、Ｇ光源及びＢ光源から成る第２光源と、前記第２光源の前記Ｒ光源、前記Ｇ光源及び前記Ｂ光源の各々の出力側にそれぞれ配設される第４乃至第６のコリメータレンズより成る第２レンズ群と、互いに対向する前記第１コリメータレンズと前記第４コリメータレンズとの間に配設されており、赤色の光を反射する一方、その他の色の光を透過する光学特性を有する第１ダイクロイックミラーと、前記第１ダイクロイックミラーを回転さえ得る第１モータと、互いに対向する前記第２コリメータレンズと前記第５コリメータレンズとの間に配設されており、緑色の光を反射する一方、その他の色の光を透過する光学特性を有する第２ダイクロイックミラーと、前記第２ダイクロイックミラーを回転さえ得る第２モータと、互いに対向する前記第３コリメータレンズと前記第６コリメータレンズとの間に配設されており、青色の光を反射する一方、その他の色の光を透過する光学特性を有する第３ダイクロイックミラーと、前記第３ダイクロイックミラーを回転さえ得る第３モータと、前記第１ダイクロイックミラーで反射された赤色の第１光線束と、前記第２ダイクロイックミラーで反射された緑色の第２光線束と、前記第３ダイクロイックミラーで反射された青色の第３光線束とが合成されて成る白色光線束を集光すると共に、前記第１光線束の光軸、前記第２光線束の光軸及び前記第３光線束の光軸の何れとも合わさった光軸を有する集光レンズと、前記集光レンズより出力される前記白色光線束より、前記第１光線束の輝度、前記第２光線束の輝度及び前記第３光線束の輝度を、それぞれ電流値として検出する光センサーと、前記光センサーの各光線束に関する出力値と閾値とを順次に比較して、前記光センサーの出力値が前記閾値の所定率以下となる場合には当該出力値に対応する光線束を発光する光源がその寿命に達していると判断して、寿命に達していると判断された光源をＯＦＦ状態に設定すると共に、寿命に達していると判断された光源に対応するダイクロイックミラーを回転駆動するモータに、該当するダイクロイックミラーの回転を指令する寿命検出部とを備えており、前記第１光源の前記Ｒ光源、前記Ｇ光源及び前記Ｂ光源が時分割で駆動されて発光している場合に、前記寿命検出部が、前記第１光源の前記Ｒ光源、前記Ｇ光源及び前記Ｂ光源の内で寿命に達している光源があると判断した際には、寿命に達していると判断された光源をＯＦＦ状態に設定し且つ前記第２光源の前記Ｒ光源、前記Ｇ光源及び前記Ｂ光源の内で当該寿命に達していると判断された光源が発光する光と同色の光を発光する光源をＯＮ状態に設定すると共に、前記第１乃至第３モータの内で当該寿命に達していると判断された光源に対応するダイクロイックミラーを回転駆動するモータに回転指令を発し、前記回転指令を受けたモータは、前記第１乃至第３ダイクロイックミラーの内で当該寿命に達していると判断された光源に対応するダイクロイックミラーを、当該ダイクロイックミラーで反射された光線束の光軸が前記集光レンズの前記光軸と再び合わさる様に回転させることを特徴とする。
【発明の効果】
【００１１】
本発明の主題によれば、映像表示装置用の光源の寿命を当該映像表示装置本体の寿命と同等時間までに引き延ばすことが出来る。特に、２４時間体制の常時監視分野に於いて、映像表示装置に於けるＬＥＤ等の光源が故障した場合に於いても、本発明の主題によれば、故障した光源から代替光源に比較的高速に且つ自動的に切り替えることが出来、そのために画像が途切れて画面上に監視画像が表示されない期間を殆どなくすことが可能となる。
【００１２】
以下、この発明の主題の様々な具体化を、添付図面を基に、その効果・利点と共に、詳述する。
【発明を実施するための最良の形態】
【００１３】
（実施の形態１）
図１は、１チップのＤＭＤ（Digital Mirror  Device）をライトバルブとして使用した、本実施の形態に係る映像表示装置の光源切り替え装置の構成を示すブロック図であるが、図１の構成要素の内の各光学系は上面図として模式的に描かれている。尚、本実施の形態に於いては、光源の素子として、色の３原色（Ｒ：赤色、Ｇ：緑色、Ｂ：青色）をそれぞれ発光する３つのＬＥＤを使用した装置例が示されている。又、図２は、図１の光源切り替え装置に於ける動作を示すブロック図であり、図１に対応して各構成部分が描かれている。
【００１４】
図1に於いて、ＡＣ／ＤＣコンバータ１は、ＡＣ電源（図示せず。）から各色のＬＥＤの駆動に必要なＤＣ電圧を、例えばＤＣ１２Ｖの中間電圧を生成する。
【００１５】
先ず、ＡＣ／ＤＣコンバータ１の出力電圧は、第１ＬＥＤ駆動用電源１００の各色毎のＤＣ／ＤＣ降圧回路１００Ｒ，１００Ｇ，１００Ｂに供給されて、第１Ｒ，Ｇ，Ｂ光源（第１光源に該当。）１２０を駆動する。ここで、第１ＬＥＤ駆動用電源１００内の各ＤＣ／ＤＣ降圧回路１００Ｒ，１００Ｇ，１００Ｂは、それぞれに対応する、第１Ｒ，Ｇ，Ｂ光源１２０を成す様に同一面内に順次に配設された各Ｒ，Ｇ，Ｂ色のＬＥＤ１２０Ｒ，１２０Ｇ，１２０Ｂのフォワード電圧（順方向電圧）に基づいて、各ＬＥＤ１２０Ｒ，１２０Ｇ，１２０Ｂに適したＤＣ電圧（例えば２Ｖ〜６Ｖの範囲内の電圧値）に変換する。
【００１６】
同一面内の各ＬＥＤ１２０Ｒ（第１Ｒ，Ｇ，Ｂ光源１２０のＲ光源），１２０Ｇ（第１Ｒ，Ｇ，Ｂ光源１２０のＧ光源），１２０Ｂ（第１Ｒ，Ｇ，Ｂ光源１２０のＢ光源）の直後方には、それぞれの光軸が同一平面内で且つ同一水平方向に配列する様に、各ＬＥＤ１２０Ｒ，１２０Ｇ，１２０Ｂと一組となって、対応する１枚のコリメータレンズが順次に配設されている。これらの第１乃至第３コリメータレンズは、第１レンズ群１４０を成す。
【００１７】
尚、第２ＬＥＤ駆動用電源１１０もまた、第１ＬＥＤ駆動用電源１００と同様の構成を、即ち、各色毎のＤＣ／ＤＣ降圧回路１１０Ｒ，１１０Ｇ，１１０Ｂを備えており、更に、各ＤＣ／ＤＣ降圧回路１１０Ｒ，１１０Ｇ，１１０Ｂに対応して、第２Ｒ，Ｇ，Ｂ光源（第２光源に該当。）１３０を成す様に、各Ｒ，Ｇ，Ｂ色のＬＥＤ１３０Ｒ（Ｒ光源），１３０Ｇ（Ｇ光源），１３０Ｂ（Ｂ光源）が同一面内に順次に配設されている。そして、第１レンズ群１４０と同様に、各Ｒ，Ｇ，Ｂ色のＬＥＤ１３０Ｒ，１３０Ｇ，１３０Ｂの直後方には、それぞれの光軸が同一平面内で且つ同一水平方向に配列する様に、各ＬＥＤ１３０Ｒ，１３０Ｇ，１３０Ｂと一組となって、対応する１枚のコリメータレンズが順次に配設されている。これらの第４乃至第６コリメータレンズは、第２レンズ群１５０を成す。
【００１８】
一方、第１Ｒ，Ｇ，Ｂ光源１２０の各色の光源１２０Ｒ，１２０Ｇ，１２０Ｂから放射される光線束は四方に拡散した光線より成るので、各色の光源１２０Ｒ，１２０Ｇ，１２０Ｂから放射されたＲ，Ｇ，Ｂ光線束は、第１レンズ群１４０内の夫々に対応する第１乃至第３コリメータレンズによって、互いにその光軸が平行な平行光線束とされる。
【００１９】
そして、Ｒ光源１２０Ｒより発光された平行光線束は第１ダイクロイックミラー２に、Ｇ光源１２０Ｇより発光された平行光線束は第２ダイクロイックミラー３に、Ｂ光源１２０Ｂより発光された平行光線束は第３ダイクロイックミラー４に、それぞれ供給される。
【００２０】
本実施の形態の一例では、配設の容易化の観点から、又、記載の便宜上の観点から、各ダイクロイックミラー２，３，４は、対応する各色Ｒ，Ｇ，Ｂの平行光線束が略４５°の入射角度で各ダイクロイックミラー２，３，４に入射する様に、第１レンズ群１４０の光軸の方向に対して略４５°の角度を成す様に配置されている。但し、第１乃至第３ダイクロイックミラー２，３，４の配置角度は、それぞれ、略４５°に限定されるものではない。即ち、ダイクロイックミラーは、一般に、ガラスの片面上或いは両面上に多層膜のコーティングを施して製作され、入射角度を指定して設計される。その際の入射角度は、光源たるＬＥＤ及びコリメータレンズの一組とダイクロイックミラーとの相対位置関係によって決定される。基本的には、構造上の制約があるために、その観点からＬＥＤの配置が決定された上で、それに合わせてダイクロイックミラーの配置が決定される。従って、ダイクロイックミラーへの光線束の入射角度は、常に一定の角度であるとは限らないこととなる。
【００２１】
そして、第１ダイクロイックミラー２は、Ｒ光源１２０Ｒ（１３０Ｒ）より放射されたＲ色の波長域の光を反射し、且つ、その他の波長域の光を透過する光学特性を有する様に、設定されている。又、第２ダイクロイックミラー３は、Ｇ光源１２０Ｇ（１３０Ｇ）より放射されたＧ色の波長域の光を反射し、且つ、その他の波長域の光を透過する光学特性を有する様に、設定されている。又、第３ダイクロイックミラー４は、Ｂ光源１２０Ｂ（１３０Ｂ）より放射されたＢ色の波長域の光を反射し、その他の波長域の光を透過する光学特性を有する様に、設定されている。本実施の形態の一例では、第１乃至第３ダイクロイックミラー２，３，４の同一面を常に対応する色の反射に用いているが、この一例に本発明が限定される訳ではない。例えば、第２Ｒ，Ｇ，Ｂ光源１３０側の対応する波長の光を反射させるときには、第１Ｒ，Ｇ，Ｂ光源１２０側の対応する波長の光を反射させた一方の面とは反対側の対向面を用いる様に、第１乃至第３ダイクロイックミラー２，３，４を設定しても良い（この場合には、後述するダイクロイックミラーの回転角度は略１８０°となる。）。
【００２２】
以上の様な構成に於いて、第１ダイクロイックミラー２の出力側の面より、時分割されて発光されたＲ色，Ｇ色，及びＢ色の各波長の第１乃至第３光線束が合成されて成る白色光線束が、出力される。合成された白色光線束は、次に、集光レンズ５を通して、ライトトンネル６に供給される。ここで、重要な点は、各ダイクロイックミラー４，３，２で略９０°の角度で反射された後の各色の光線束の光軸と、集光レンズ５の光軸とは、互いに合っていることである。
【００２３】
ライトトンネル６は、その内部で各色の光線束の反射を繰り返すことで光の強度を積分し、その結果、合成された光線束の強度分布の均一性を向上させる。ライトトンネル６を出力した光線束は、リレーレンズ７を経て、ライトバルブである一つのＤＭＤ８に供給される。
【００２４】
ＤＭＤ８は、既知の通り、入力画像信号（図示せず。）のレベルに応じて、ＤＭＤ８を構成する多数の微小ミラーの傾きを変化させる素子である。ＤＭＤ８がＯＮ状態にある時には、ＤＭＤ８は入力した光線束を投射レンズ９側へ反射し、その結果、画像が表示されることとなる。他方、ＤＭＤ８がＯＦＦ状態にあるときには、ＤＭＤ８は入力した光線束を投射レンズ９の外側領域へ反射する。本実施の形態に於いては、ＤＭＤ８がＯＦＦ状態にあるときにＤＭＤ８によって反射された光線束を検出可能な位置に、光センサー１０が配置されている。そして、ＯＦＦ状態にあるＤＭＤ８によって反射された、合成された光線束は、元々、時分割で放射されたＲ色，Ｇ色，及びＢ色の各波長の光より成るので、光センサー１０は、互いに時間をずれて入力するＲ色，Ｇ色，及びＢ色の各波長の光の輝度を測定し、測定した輝度に対応する電流値を寿命検出回路１１へ出力する。ここで、寿命検出回路１１は、予め測定された、本装置の初期時点に於けるＲ色，Ｇ色，及びＢ色の各波長の光の輝度レベル、従って、初期電流値の情報を、その内部のメモリ（図示せず。）内に、初期値ないしは閾値として記録・保有している。
【００２５】
次に、第１Ｒ，Ｇ，Ｂ光源１２０内のＲ光源１２０Ｒが故障等によりその寿命に達した場合について、本装置の動作を記載する。Ｒ光源１２０Ｒがその寿命に達した状態は、光センサー１０が検出する、Ｒ色の光の輝度レベルを、従って、光センサー１０の出力電流のレベルを、寿命検出回路１１が電気的に監視することにより、検知可能である。光センサー１０の出力端は、比較回路である寿命検出回路１１の入力端に接続されており、寿命検出回路１１は、常時、光センサー１０が出力する電流レベルを、その保有する既述した閾値と比較することで、各光源がその寿命に達したか否かを監視している。即ち、寿命検出回路１１は、光センサー１０のＲ色の光の出力レベルが上記閾値の所定率（例えば５０％）以下に下回ったことを検出したときには、Ｒ光源１２０Ｒの故障等の原因により、Ｒ光源１２０Ｒはその寿命に達したものと判断する。
【００２６】
そして、Ｒ光源１２０Ｒはその寿命に達したことを検出した寿命検出回路１１は、モータ駆動部１２に、その駆動指令信号を与える。この駆動指令信号を受けて、モータ駆動部１２は、第１ダイクロイックミラー２に機械的に繋がった第１モータ１３を駆動制御し、第１モータ１３は、第1ダイクロイックミラー２を、本例では略９０°回転させる。回転後の第1ダイクロイックミラー２の位置を、図２に示す。この場合に於いても、時分割でそれぞれ発光された各色の光線束が対応するダイクロイックミラーで反射された後に集光レンズ５に向けて伝搬する光線束の光軸と、集光レンズ５の光軸とは、互いに合わさっている。
【００２７】
第1ダイクロイックミラー２の上記回転と同時に、寿命検出回路１１より光源駆動切り替え指令を受けた電源制御部１４は、第１ＬＥＤ駆動用電源１００内のＲ光源用の電源１００ＲをＯＦＦ状態に切り替え制御すると共に（例えば電源１００ＲのスイッチをＯＦＦにする。）、第２ＬＥＤ駆動用電源１１０内のＲ光源用の電源１１０ＲをＯＦＦ状態からＯＮ状態に変更・設定する（例えば電源１１０ＲのスイッチをＯＮに切り替える。）。
【００２８】
これにより、第１Ｒ，Ｇ，Ｂ光源１２０の内で寿命に達したＲ光源１２０Ｒの代わりに、第２Ｒ，Ｇ，Ｂ光源１３０のＲ光源１３０Ｒが代替光源として自動的に且つ高速に切り替えられて発光することとなるため、画像は途切れる事無く連続して表示されることになる。従って、映像表示装置用光源の寿命を、監視装置として用いられる映像表示装置の寿命と同等時間にまで延ばすことが出来る。
【００２９】
同様に、第１Ｒ，Ｇ，Ｂ光源１２０内のＧ光源１２０Ｇがその寿命に達したことが検出された場合には、第２モータ１７が第２ダイクロイックミラー３を略９０°回転させると同時に、電源制御部１４は、第１ＬＥＤ駆動用電源１００内のＧ光源用の電源１００ＧをＯＦＦ状態に切り替えると共に、第２ＬＥＤ駆動用電源１１０内のＧ光源用の電源１１０ＧをＯＮ状態に設定する。
【００３０】
同様に、第１Ｒ，Ｇ，Ｂ光源１２０内のＢ光源１２０Ｂがその寿命に達したことが検出された場合には、第３モータ１６が第３ダイクロイックミラー４を略９０°回転させると同時に、電源制御部１４は、第１ＬＥＤ駆動用電源１００内のＢ光源用の電源１００ＢをＯＦＦ状態に切り替えると共に、第２ＬＥＤ駆動用電源１１０内のＢ光源用の電源１１０ＢをＯＮ状態に設定する。
【００３１】
尚、図１の例では、第１ＬＥＤ駆動用電源１００と第２ＬＥＤ駆動用電源１１０とを別々に設けているが、共通のＬＥＤ駆動用電源とセレクタとを組み合わせることによって、共通のＬＥＤ駆動用電源を使用可能に構成するときには、本装置のコストを抑えることが可能となる。
【００３２】
又、図３は、本実施の形態に係る光源切り替え装置に於いて用いられる光源の冷却構造を示している。第１Ｒ，Ｇ，Ｂ光源１２０のＲ光源１２０Ｒにヒートパイプ受熱部３２を設け、第２Ｒ，Ｇ，Ｂ光源１３０のＲ光源１３０Ｒにヒートパイプ受熱部３３を設けて、更にヒートシンク３１により各光源１２０Ｒ，１３０Ｒで発生する熱の伝導を行って、クーリングファン３０によって冷却する構造を採用するときには、光源の冷却系を共用することが出来、この点に関しても本装置のコストを抑えることが可能となる。
【００３３】
尚、図１の各部１１，１２，１４は、「寿命検出部」を成す。
【００３４】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【産業上の利用可能性】
【００３５】
本発明は、ライトバルブとして１チップのＤＭＤ又はＬＥＤ等を使用したプロジェクターの光源に適用して好適である。特に、高信頼性を必要とする監視分野を始めとして、放送局用等の極めて高信頼性が要求される分野に於いて、本発明を有効に利用することが出来る。
【図面の簡単な説明】
【００３６】
【図１】本発明の実施の形態１に係る映像表示装置の光源切り替え装置の構成を模式的に示すブロック図である。
【図２】Ｒ光源がその寿命に達した場合に於いてＲ光源を切り替えた後の映像表示装置の光源切り替え装置の構成を模式的に示すブロック図である。
【図３】本発明の実施の形態１に係る映像表示装置の光源切り替え装置に於ける冷却構造を示す図である。
【符号の説明】
【００３７】
１  ＡＣ／ＤＣコンバータ、２  第１ダイクロイックミラー、３  第２ダイクロイックミラー、４  第３ダイクロイックミラー、５  集光レンズ、６  ライトトンネル、７  リレーレンズ、８  ＤＭＤ（ライトバルブ）、９  投射レンズ、１０  光センサー、１１  寿命検出回路、１２  モータ駆動部、１３，１６，１７  第１乃至第３モータ、１４  電源制御部、３０  クーリングファン、３１  ヒートシンク、３２，３３  ヒートパイプ受熱部、１００  第１ＬＥＤ駆動用電源、１１０  第２ＬＥＤ駆動用電源、１２０  第１Ｒ，Ｇ，Ｂ光源（第１光源に該当。）、１３０  第２Ｒ，Ｇ，Ｂ光源（第２光源に該当。）、１４０  第１レンズ群、１５０  第２レンズ群、１６０  ダイクロイックミラー群。
【図１】
2010145584.tif 000003
【図２】
2010145584.tif 000004
【図３】
2010145584.tif 000005